(57)【要約】      （修正有）【課題】角ドライブが嵌合する差込孔を有したアダプタを第１締付工具の把手部に着脱可能に装着し、アダプタに第２締付工具を連結可能にして締付作業の効率化を図る角ドライブ接続用アダプタを提供する。【解決手段】矩形に形成した本体１１の正面一側に、ボルト・ナットの二方平に横方向から差し込んで締着する第１締付工具の把手部またはラック部に着脱可能に取付ける挿通孔１２を正面長手方向の一側で前後方向に設け、且つ、本体１１の一側面に設けた一対のねじ孔１３または平面中央に設けた一対のねじ孔１４を挿通孔１２に連通して形成し、ねじ孔に一対の締着ねじ１５を緩締可能にそれぞれ螺合し、本体１１に設けた挿通孔１２の他側で直角方向にボルト・ナットの四角平または六角平を所定の締付力で締付ける角ドライブを有した第２締付工具の角ドライブを着脱可能に装着する差込孔２０を設けてなる。【選択図】図２
0003219499.tif 000002
【実用新案登録請求の範囲】
【請求項１】
矩形に形成した本体（１１）の一側に、ボルト・ナット（Ｘ）の横方向から差し込み締付ける第１締付工具（Ａ）の把手部またはラック部に着脱可能に取付ける挿通孔（１２）を設け、該挿通孔の他側にボルト・ナット（Ｘ）を所定の締付力で締付ける第２締付工具（Ｂ）の角ドライブ（ｂ１）を着脱可能に装着する差込孔（２０）を設けてなることを特徴とする角ドライブ接続用アダプタ。
【請求項２】
前記本体（１１）に設けた挿通孔（１２）は、本体（１１）の正面長手方向の一側で前後方向に設け、本体（１１）の一側面中央と平面中央に挿通孔（１２）に連通する少なくとも１以上のねじ孔（１３、１４）を設け、該ねじ孔に前記把手部またはラック部を緩締可能に締着する締着ねじ（１５）を螺合してなることを特徴とする請求項１記載の角ドライブ接続用アダプタ。
【請求項３】
前記本体（１１）に設けた差込孔（２０）は、前記第２締付工具（Ｂ）の角ドライブ（ｂ１）に嵌合する断面方形に形成し、該差込孔の上下両端縁を内側に傾斜させた面取部（２１）を設けると共に、軸心方向の中央で直角方向または十字方向に係止孔（２５）を設けてなることを特徴とする請求項１または２記載の角ドライブ接続用アダプタ。
【請求項４】
前記第１締付工具（Ａ）は、ボルト・ナット（Ｘ）に対し横方向から差し込み締付けるスパナ、モンキーレンチ、モーターレンチ、パイプレンチなどからなることを特徴とする請求項１記載の角ドライブ接続用アダプタ。
【請求項５】
前記第１締付工具（Ａ）のモンキーレンチ（Ａ１）またはモーターレンチ（Ａ２）は、短尺把手部（ａ２）または短尺ラック部（ａ６）を設けてなることを特徴とする請求項１または４記載の角ドライブ接続用アダプタ。
【請求項６】
前記第２締付工具（Ｂ）は、角ドライブ（ｂ１）を有したトルクレンチ、ラチェットレンチ、ソケットレンチ、エクステンション、Ｔ型スライドハンドル、オフセットハンドル、スピナーハンドルまたはユニバーサルジョイントなどからなることを特徴とする請求項１記載の角ドライブ接続用アダプタ。
【考案の詳細な説明】
【技術分野】
【０００１】
本考案は、横差込型締付工具に角ドライブ付締付工具を連結してボルト・ナットの締付作業を効果的に行うことができるアダプタに関する。
【背景技術】
【０００２】
従来、ボルト・ナットを使用して結合する多くの一般機械や自動車または航空機のエンジンなどの精密機器は、多種多様なボルト・ナットを使用して組立てられている。また、これらのエンジンの組立または修理に使用される締付工具も多種多様である。
【０００３】
前記締付工具は、ボルト・ナットに対し横方向から締付部を差し込み締付けする、いわゆるスパナ、モンキーレンチ、モーターレンチなどの横差込型レンチや、ボルト・ナットを一定の締付力で締付ける角ドライブを有したトルクレンチ、ラチェットレンチなどの締付工具が使用されている。
【０００４】
また、ボルト・ナットの締付作業は、締付作業を行う作業者の力加減に頼るため、適度を超えた締付けは螺子に逆に戻ろうとする力が働き弛みやすく、また、締付けが弱いとボル・ナットに負担がかかり破損しやすく大事故につながる恐れがある。
【０００５】
そこで、自動車エンジンや航空機エンジンなどの精密機器は組み立てに使用するボルト・ナットの締付力は組立個所によって締付力が定められていることから、所定の締付力で締付けすることができるトルクレンチやラチェットレンチなどの締付工具が使用されて締付作業が行われている。
【０００６】
しかし、この角ドライブを有した締付工具は、ボルト・ナットの軸心方向から締付工具の角ドライブ部またはソケットを装着して締付作業が行われている。一方、自動車や航空機などのエンジンルームは、狭い空間で複雑な締付作業を行う必要があるため、軸方向から工具を装着して締付作業を行うことが困難な場合がある。また、スパナやメガネレンチまたはトルクレンチ、ラチェットレンチなどの締付工具は長い把手部を有しているため狭い空間でのハンドル操作が困難な場合が多い。
【０００７】
一方、前記精密機器の組み立てに使用されるボルト・ナットは、締付ける個所によりそれぞれ径が相違し、少なくとも数十種類以上のボルト・ナットが使用されている。そのため、各ボルト・ナットの径に合わせて多数本のスパナやモンキーレンチ、または角ドライブを有したトルクレンチやラチェットレンチまたはソケットレンチを使用する場合、ボルト・ナットの径に合わせたソケットや連結ソケットなどを多数用意しなければならず作業効率が悪く非能率的であった。
【０００８】
そこで、トルクレンチ型の締付工具の先端にスパナ型またはレンチ型の頭部を着脱可能に取付けて使用することができるトルクレンチが広く知られている（例えば、特許文献１）。
【先行技術文献】
【特許文献】
【０００９】
【特許文献１】実開昭６２−１６１９７７号
【００１０】
前記特許文献１にかかる考案は、トルクレンチの本体の軸心方向の延長線上にスパナ型またはレンチ型頭部を交換可能に取付けて使用するもので、ボルト・ナットの面取部の二方平とスパナ型の先端を差し込んで使用するが、狭い空間でのボルト・ナットの面取部の位置と差込方向とが合致する場合は良いが、面取部の位置が差込方向と合致しない場合締付作業が困難となる。また、狭い空間でボルトまたはナットを中心に締付工具をの把手部を回動させることができるスペースがない場合、締付作業をすることが困難となる場合があるなど多くの問題点を有している。
【考案の概要】
【考案が解決しようとする課題】
【００１１】
そこで本考案が解決しようとする課題は、横差込型締付工具に簡単な構造のアダプタを取付け、該アダプタに角ドライブ付き締付工具を接続可能にして直接締付が困難な狭いスペースでも角ドライブ付きの締付工具の使用を可能にし、締付作業の効率化と締付作業の正確を図ることを目的とする。
【課題を解決するための手段】
【００１２】
本考案は、矩形に形成した本体１１の一側に、ボルト・ナットＸの横方向から差し込み締付ける第１締付工具Ａの把手部またはラック部に着脱可能に取付ける挿通孔１２を設け、該挿通孔の他側にボルト・ナットＸを所定の締付力で締付ける第２締付工具Ｂの角ドライブｂ１を着脱可能に装着する差込孔２０を設けてなることを特徴とする。また、前記本体１１に設けた挿通孔１２は、本体１１の正面長手方向の一側で前後方向に形成し、本体１１の一側面中央と平面中央に挿通孔１２に連通する少なくとも１以上のねじ孔１３、１４を設け、該ねじ孔に前記把手部またはラック部を緩締可能に締着する締着ねじ１５を螺合してなることを特徴とする。さらには、前記本体１１に設けた差込孔２０は、前記第２締付工具Ｂの角ドライブｂ１に嵌合する断面方形に形成し、該差込孔の上下両端縁を内側に傾斜させた面取部２１を設けると共に、軸心方向の中央で直角方向または十字方向に係止孔２５を設けてなることを特徴とする。さらにはまた、前記第１締付工具Ａは、ボルト・ナットＸに対し横方向から差し込み締付けるスパナ、モンキーレンチ、モーターレンチ、パイプレンチなどからなることを特徴とする。また、前記第１締付工具ＡのモンキーレンチＡ１またはモーターレンチＡ２は、短尺把手部ａ２または短尺ラック部ａ６を設けてなることを特徴とする。さらには、前記第２締付工具Ｂは、角ドライブｂ１を有したトルクレンチ、ラチェットレンチ、ソケットレンチ、エクステンション、Ｔ型スライドハンドル、オフセットハンドル、スピナーハンドルまたはユニバーサルジョイントなどからなることを特徴とする。
【００１３】
したがって、第１締付工具Ａの把手部にアダプタ１０を挿入して締着固定し、前記アダプタ１０の挿通孔１２と直角方向に位置した差込孔２０に第２締付工具Ｂの角ドライブｂ１を任意の角度で差し込むことにより、第１締付工具Ａと第２締付工具Ｂを簡単に連結することができる。したがって、配管が邪魔な個所、エンジンルームなどの狭所でも第１締付工具Ａを第２締付工具Ｂとして使用することができ、作業効率の向上を図ることができる。また、第１締付工具Ａの把手部に取付けるアダプタ１０は、差込孔２０を表向き裏向きの両面を使用して取付けることができるので、把手部の上側または下側など自由に差込孔２０を位置することができ、角ドライブｂ１の装着角度と相俟って作業個所によりに自由に締付角度または方向を選択することができるので狭所での作業において効率よく締付作業を行うことができる。さらには、第１締付工具Ａにおいて、ボルト・ナットの径に合わせて平寸法を自由に変更することができるモンキーレンチＡ１またはモーターレンチＡ２などにアダプタ１０を取付けて使用することにより、固定平のスパナを多種類用意する必要がないため作業効率の向上と締付工具が少なくて済み大変経済的である。さらには、第１締付工具Ａの把手部を短尺にし、この短尺把手部ａ２または短尺ラック部ａ６にアダプタ１０を取付け、該アダプタの差込孔２０に第２締付工具Ｂの角ドライブｂ１を装着することにより、第１、２締付工具Ａ、Ｂを簡単に組合せることができるので狭所での締付作業を容易で効率的に行うことができる。
【図面の簡単な説明】
【００１４】
【図１】本考案にかかるアダプタの正面図である。
【図２】アダプタの平面図である。
【図３】アダプタの右側面図である。
【図４】図３のＡ―Ａ線断面図である。
【図５】第１締付工具であるモンキーレンチの平面図である。
【図６】短尺モンキーレンチの短尺把手部にアダプタの差込口を下向きに装着した状態の平面図である。
【図７】短尺モンキーレンチの短尺把手部にアダプタの差込口を上向きに装着した状態の平面図である。
【図８】第２締付工具であるトルクレンチの正面図である。
【図９】短尺モンキーレンチの短尺把手部に取付けたアダプタの差込口にトルクレンチを平行に装着した使用状態を示す平面図である。
【図１０】短尺モンキーレンチの短尺把手部に取付けたアダプタの差込口にトルクレンチを右上４５度の角度で装着した状態を示す平面図である。
【図１１】短尺モンキーレンチの短尺把手部に取付けたアダプタの差込口にトルクレンチを右下４５度の角度で装着した状態を示す平面図である。
【図１２】短尺モンキーレンチの短尺把手部に取付けたアダプタの差込口にトルクレンチを左下４５度の角度で装着した状態を示す平面図である。
【図１３】短尺モーターレンチの短尺ラック部にアダプタの差込口を下向きに装着した状態の平面図である。
【図１４】短尺モーターレンチの短尺ラック部にアダプタの差込口を上向きに装着した状態の平面図である。
【図１５】短尺モーターレンチの短尺ラック部に取付けた可動片の内側で、アダプタの差込口を上付に装着した状態の平面図である。
【図１６】短尺モーターレンチの短尺ラック部に取付けた可動片の内側に装着したアダプタの差込口にトルクレンチを平行に装着した使用状態を示す平面図である。
【図１７】短尺ラック部に取付けた可動片の内側に装着したアダプタの差込口に左下４５度の角度でトルクレンチを装着した状態を示す平面図である。
【図１８】短尺ラック部に取付けた可動片の内側に装着したアダプタの差込口に左上６０度の角度でトルクレンチを装着した状態を示す平面図である。
【考案を実施するための形態】
【００１５】
本考案の実施の形態を図面に基づいて説明すると、図１は本考案にかかるアダプタの正面図、図２はアダプタの平面図、図３はアダプタの右側面図、図４は図３のＡ―Ａ線断面図、図５は第１締付工具であるモンキーレンチの平面図、図６は短尺モンキーレンチの短尺把手部にアダプタの差込口を下向きに装着した状態の平面図、図７は短尺モンキーレンチの短尺把手部にアダプタの差込口を上向きに装着した状態の平面図である。本考案にかかるアダプタ１０は、矩形に形成した金属片からなる本体１１の正面一方側で前後方向に第１締付工具Ａの把手部またはラック部が挿通する挿通孔１２を設け、該挿通孔の他側で前記挿通孔１２と直角方向に第２締付工具Ｂの角ドライブｂ１を着脱可能に装着する方形に形成した差込孔２０を設けてある。
【００１６】
前記アダプタ１０に設けた挿通孔１２は、該挿通孔に挿通した前記第１締付工具Ａの把手部またはラック部を固定するための一対のねじ孔１３、１４を本体１１の一側面と平面中央に設けてある。このねじ孔１３、１４には、挿通孔１２に挿通する第１締付工具Ａの把手部またはラック部を締着する一対の締着ねじ１５を取付けて締着固定する。この締着ねじ１５は、アダプタ１０の取付け方向または連結する第２締付工具Ｂの連結方向により本体１１の側面のねじ孔１３または平面のねじ孔１４いずれかのねじ孔に螺合して使用する。
【００１７】
前記アダプタ１０に設けた差込孔２０は、前記第２締付工具Ｂの角ドライブｂ１を着脱可能に装着する断面方形に形成し、該差込孔の上下両端縁を内側に傾斜させた面取部２１を設けて角ドライブｂ１の挿入を容易にしてある。さらには、前記差込孔２０は、軸心方向と直角方向または十字方向に係止孔２５を設け、前記第２締付工具Ｂの角ドライブｂ１に装着したボールまたはピンなどからなる係止部ｂ３を嵌合可能に形成してある。この差込孔２０の内径は、装着する角ドライブｂ１の径により相違するが、通常は、角ドライブｂ１の標準規格である９．５ｍｍ角に形成してある。このアダプタ１０に設けた差込孔２０の内径は、装着する角ドライブの径により、内径を６．５ｍｍ、１２．７ｍｍ、１９ｍｍまたは２５．４ｍｍにした差込孔を有するアダプタを形成することができるのは勿論である。
【００１８】
前記第１締付工具Ａは、ボルト・ナットＸの面取部に対し横方向から差し込み締付けする締付工具で、図６に示すごとく、公知のモンキーレンチＡ１、モーターレンチＡ２、スパナなどをいう。特にボルト・ナットＸの平寸法に合わせて自由に挟持幅を変更することができるモンキーレンチＡ１やモーターレンチＡ２は、図６や図１３に示すごとく、把手部を切断して形成した短尺モンキーレンチＡ１の短尺把手部ａ２や短尺モーターレンチＡ２の短尺ラック部ａ６に前記アダプタを１０取付け、該アダプタに第２締付工具Ｂを装着することができる。
【００１９】
この短尺モンキーレンチＡ１や短尺モーターレンチＡ２は把手部が短いことから、回動半径が短いため狭所でも使用することができ、この短尺モンキーレンチＡ１や短尺モーターレンチＡ２にアダプタを連結することにより、第２締付工具Ｂであるトルクレンチやラチェットレンチに変身させることができるので作業効率の向上を図ることができる。  
【００２０】
前記第２締付工具Ｂは、図８に示すごとく、所定の締付力でボルト・ナットＸを締着する工具で、いわゆる周知の角ドライブｂ１を有したトルクレンチ、ラチェットレンチ、ソケットレンチ、エクステンション、Ｔ型スライドハンドル、オフセットハンドル、スピナーハンドルまたはユニバーサルジョイントなどをいう。特に自動車や航空機のエンジンなどの精密機器の組立、整備には所定の締付力で締着する必要があることから広く使用されている。
【００２１】
前記した第１、２締付工具Ａ、Ｂの特徴を生かして第１締付工具Ａにアダプタ１０を取付けて第２締付工具Ｂを結合させることにより、あらゆる方向または角度からの締付作業が可能となり、締付作業が困難な狭所でのボルト・ナットの角度や締付方向など多数ある困難な締付作業を容易にすることにより作業の効率化とコストの軽減を図ることができる。
【００２２】
図６に示すごとく、第１締付工具Ａの一種である例えば、短尺モンキーレンチＡ１の短尺把手部ａ２にアダプタ１０の挿通孔１２を挿入し、側面のねじ孔１３から締着ねじ１５を螺合して短尺把手部ａ２とアダプタ１０とを締付固定する。次いで、第２締付工具Ｂの角ドライブｂ１を前記アダプタ１０の差込孔２０に差込み連結することにより、通常のモンキーレンチを角ドライブｂ１付きの第２締付工具Ｂに変身させることができる。
【００２３】
第１締付工具Ａへのアダプタ１０の取付けは、前記したごとく、短尺モンキーレンチＡ１の短尺把手部ａ２にアダプタ１０の挿通孔１２を挿入し、側面のねじ孔１３または平面のねじ孔１４から螺合した締着ねじ１５で締着固定する。このアダプタ１０の取付け方向は、例えば、図６に示すごとく、短尺モンキーレンチＡ１に対しアダプタ１０の差込口２０を下付に取付けたり、図７に示すごとく、アダプタ１０の取付け方向を上付きに取付けることができる。上下いずれの方向に取付けるかは、締付作業を行う作業スペースにより自由に連結位置を変えることにより、多様なバリエーションの方向と角度に装着することができる。
【００２４】
また、図９に示すごとく、アダプタ１０の差込口２０を下付に取付け、該差込口に第２締付工具Ｂの例えば、トルクレンチを短尺モンキースパナＡ１と平行に取付けることにより、上下方向にスペースがない個所でもモンキーレンチＡ１をトルクレンチＢとして使用することができる。
【００２５】
さらには、図１０、１１、１２に示すごとく、ボルト・ナットＸの角度や締付個所のスペースによりモンキーレンチＡ１の短尺把手部ａ２に取付けるアダプタ１０の位置と、第２締付工具Ｂであるトルクレンチの角ドライブｂ１の差込位置（角度）を変えることにより、多様なバリエーションの締付角度を得ることができるので、狭所での締付作業を効率的に行うことができる。
【００２６】
さらにはまた、図１３、１４、１５に示すごとく、第１締付工具Ａの一種であるモーターレンチの把手部を切断して形成した短尺モーターレンチＡ２の短尺ラック部ａ６にアダプタ１０を取付けて用いることもできる。この短尺モーターレンチＡ２の短尺ラック部ａ６に取付けたアダプタ１０に第２締付工具Ｂを取付けることにより、締付角度または締付方向を自由に変えることができるので締付作業を飛躍的に向上させることができる。
【００２７】
この短尺モーターレンチＡ２に取付けるアダプタ１０は、図１５から１８に示すごとく、短尺ラック部ａ６の外側だけでなく、可動片ａ８の内側にも取付けることができる。この場合、短尺モーターレンチＡ２のラック部ａ６に取付けたウオームギアａ９を回動して可動片ａ８を一度、短尺ラック部ａ６から取り外し、アダプタ１０の挿通孔１２をラック部ａ６に挿通して所定位置にアダプタ１０を装着した後、再度可動片ａ８とウオームギアａ９をラック部ａ７に螺合することにより取付けることができる。
【００２８】
短尺モーターレンチＡ２にアダプタ１０の差込口２０を上付に取付けた場合、図１６に示すごとく、差込口２０に第２締付工具Ｂ、例えば、トルクレンチの角ドライブｂ１を短尺モーターレンチと平行な位置に差し込むことにより、短尺モーターレンチＡ２をトルクレンチとして使用することができる。また、上下方向にスペースがない個所でも短尺モーターレンチＡ２にトルクレンチＢを連結することにより、短尺モーターレンチＡ２をトルクレンチとして使用することができ大変便利である。
【００２９】
図１７、１８に示すごとく、締付個所のスペースにより短尺モーターレンチＡ２に取付けるアダプタ１０の取付け位置を可動片ａ８の外側または内側の短尺ラック部ａ６に取付け、または、第２締付工具Ｂの角ドライブｂ１の差込角度を変えることなどにより、多様なバリエーションの締付方向と角度を得ることができるので、締付作業を効率的に行うことができ便利である。
【００３０】
以下、本考案の実施の形態の作用について説明すると、本考案に係るアダプタ１０は、全体を矩形に形成した金属片からなる本体１１の正面一方側で前後方向に第１締付工具Ａであるモンキーレンチの把手部ａや短尺モンキーレンチＡ１の短尺把手部ａ２または短尺モータレンチＡ２の短尺ラック部ａ６を挿通する挿通孔１２を設け、該挿通孔の反対側で前記挿通孔１２と直角方向に第２締付工具Ｂの角ドライブｂ１を着脱可能に装着する差込孔２０を設けてある。
【００３１】
前記したアダプタ１０は、第１、２締付工具Ａ、Ｂの特徴をそれぞれ生かすため、第１締付工具Ａの把手部に取付け、該アダプタの差込口２０に第２締付工具Ｂを結合させることにより、締付作業が困難な狭所が多数ある精密機器の締付作業を容易にすることができるので作業の効率化とコストの軽減を図ることができる。
【００３２】
アダプタ１０の取付けは、挿通孔１２に第１締付工具Ａ、例えば、短尺モンキーレンチＡ１または短尺モーターレンチＡ２の短尺把手部ａ２または短尺ラック部ａ６を挿通して締着ねじ１５で締着固定し、該アダプタの差込孔２０に第２締付工具Ｂの角ドライブｂ１をさまざまな角度に装着することにより、短尺モンキーレンチＡ１や短尺モーターレンチＡ２を第２締付工具Ｂであるトルクレンチやラチェットレンチに変身させることができるので作業効率の向上を図ることができる。
【００３３】
また、アダプタ１０の差込口２０を下付に取付け、該差込口に第２締付工具ＢのトルクレンチＢ１を平行に取付けることにより、上下方向にスペースがない個所でもモンキーレンチＡ１をトルクレンチとして使用することができる。さらには、図１０、１１、１２に示すごとく、ボルト・ナットＸの位置や締付個所のスペースによりモンキーレンチＡ１の短尺把手部ａ２に取付けるアダプタ１０の位置と、第２締付工具Ｂであるトルクレンチの角ドライブｂ１の差込位置を変えることにより、多様なバリエーションの締付方向と角度を得ることができるので、狭所での締付作業を効率的に行うことができる。
【００３４】
第１締付工具Ａの一種である短尺モーターレンチＡ２へのアダプタ１０の取付けは、図１３、１５に示すごとく、可動片ａ８の内側または外側の短尺ラック部ａ６にアダプタ１０を取付け、または、アダプタ１０の差込口２０を上向きまたは下向きに取付けることにより、差込孔２０の方向を変えることができるので、第２締付工具Ｂであるトルクレンチの角ドライブｂ１の差込方向を変化させて装着することにより、多様なバリエーションの締着方向と角度を得ることができるので、狭所での締付作業を飛躍的に向上させることができ大変便利である。
【符号の説明】
【００３５】
１０    アダプタ
１１    本体
１２    挿通孔
１３    ねじ孔
１５    締着ねじ
２０    差込孔
２１    面取部
２５    係止孔
Ａ      第１締付工具
Ａ１    短尺モンキーレンチ
ａ２    短尺把手部
ａ３    可動部
ａ４    ウオームギア
Ａ２    短尺モーターレンチ
ａ６    短尺ラック部
ａ８    可動片
ａ９    ウオームギア
Ｂ      第２締付工具
Ｂ１    トルクレンチ
ｂ１    角ドライブ
ｂ２    把手部
Ｘ      ボルト・ナット  
【図１】
0003219499.tif 000003
【図２】
0003219499.tif 000004
【図３】
0003219499.tif 000005
【図４】
0003219499.tif 000006
【図５】
0003219499.tif 000007
【図６】
0003219499.tif 000008
【図７】
0003219499.tif 000009
【図８】
0003219499.tif 000010
【図９】
0003219499.tif 000011
【図１０】
0003219499.tif 000012
【図１１】
0003219499.tif 000013
【図１２】
0003219499.tif 000014
【図１３】
0003219499.tif 000015
【図１４】
0003219499.tif 000016
【図１５】
0003219499.tif 000017
【図１６】
0003219499.tif 000018
【図１７】
0003219499.tif 000019
【図１８】
0003219499.tif 000020